(57)【要約】      （修正有）【課題】簡易な構成で、発声者から発せられた音声を確実に消音しながら、当該発声者のみが自己の音声を聴取することができる発声消音装置を提供する。【解決手段】発声消音装置２００は、消音器１０とヘッドホン１００とを有し、風船３００が取り付けられた消音器１０にヘッドホン１００を接続することにより使用される。【選択図】図３
0003197064.tif 000002
【実用新案登録請求の範囲】
【請求項１】
円柱状のフィルタと、
前記フィルタの外径と同一の内径を有し、かつ長手方向における内側面の長さが前記フィルタと同一の長さを有する収納部本体と、前記収納部本体から長手方向に突出するように形成され、前記収納部本体より短い内径を有する突出部と、前記突出部の先端部分に、外側に向けて張り出すように形成され、前記突出部のうち前記先端部分を除く部分より厚さが厚い張出部と、前記収納部本体の側面に、前記収納部本体の長手方向と直交する方向に突出するように形成されたキャップ受け部とを有し、前記収納部本体の表面のうち、前記キャップ受け部の内側部分が露出するフィルタ収納部と、
前記フィルタ収納部のうち、前記収納部本体の表面に、前記キャップ受け部の内側部分を除く前記収納部本体を覆うようにして形成された本体制振部と、
前記本体制振部の表面に、前記本体制振部の全面を覆うようにして形成された本体保持部と、
前記フィルタ収納部のうち、前記突出部の内側面に、長手方向における長さが前記突出部の内側面の長さと同一の長さを有するように形成された円筒状の継手制振部と、
前記継手制振部の内側面に、長手方向における前記継手制振部の長さと同一の長さを有するように形成された円筒状の継手固定部と
を有する消音器と、
前記キャップ受け部の外径と同一の内径を有するように断面が凹型形状に形成され、非開口側端部にキャップ用孔が形成されたキャップと、
前記キャップ用孔に接続するようにして前記キャップに取り付けられ、Ｙ字状に分岐するように形成されたチューブと、
Ｙ字状に分岐するように形成された前記チューブの３つの端部のうち、２つの非キャップ接続側端部にそれぞれ接続され、外部から供給される音を入力するための耳管用孔がそれぞれ形成されたＬ字状の第１及び第２の耳管と、
発声者の耳の孔に挿入するため、前記第１及び第２の耳管の先端にそれぞれ取り付けられた第１及び第２のイヤーピースと、
断面が凹型形状にそれぞれ形成され、側部に形成された貫通孔を通じて内部に挿入された前記第１及び第２の耳管を非開口側端部に接触させつつ、前記第１及び第２の耳管の先端に取り付けられた前記第１及び第２のイヤーピースを開口部から突出させるようにしてそれぞれ収納し、外部から供給される音を入力するための複数の耳管収納部用孔が全面にそれぞれ形成された第１及び第２の耳管収納部と、
前記第１及び第２の耳管収納部の開口側端部にそれぞれ取り付けられ、中央部分が開口したドーナツ状の第１及び第２のイヤーパッドと、
前記第１及び第２の耳管収納部の非開口側端部の外側中央部分にそれぞれ取り付けられた第１及び第２の支持部と、
前記第１及び第２の支持部に接続され、頭部の形状に対応するように形成されたヘッドバンドと
を有するヘッドホンと
を備えることを特徴とする発声消音装置。
【考案の詳細な説明】
【技術分野】
【０００１】
本考案は、発声消音装置に関する。
【背景技術】
【０００２】
従来、発声者から発せられた音声を消音するための発声消音装置として、種々のものが提案及び開発されている。
【考案の概要】
【考案が解決しようとする課題】
【０００３】
本考案は、簡易な構成で、発声者から発せられた音声を確実に消音しながら、当該発声者のみが自己の音声を聴取することができる発声消音装置を提供することを目的とする。
【課題を解決するための手段】
【０００４】
本考案の一態様による発声消音装置は、
円柱状のフィルタと、
前記フィルタの外径と同一の内径を有し、かつ長手方向における内側面の長さが前記フィルタと同一の長さを有する収納部本体と、前記収納部本体から長手方向に突出するように形成され、前記収納部本体より短い内径を有する突出部と、前記突出部の先端部分に、外側に向けて張り出すように形成され、前記突出部のうち前記先端部分を除く部分より厚さが厚い張出部と、前記収納部本体の側面に、前記収納部本体の長手方向と直交する方向に突出するように形成されたキャップ受け部とを有し、前記収納部本体の表面のうち、前記キャップ受け部の内側部分が露出するフィルタ収納部と、
前記フィルタ収納部のうち、前記収納部本体の表面に、前記キャップ受け部の内側部分を除く前記収納部本体を覆うようにして形成された本体制振部と、
前記本体制振部の表面に、前記本体制振部の全面を覆うようにして形成された本体保持部と、
前記フィルタ収納部のうち、前記突出部の内側面に、長手方向における長さが前記突出部の内側面の長さと同一の長さを有するように形成された円筒状の継手制振部と、
前記継手制振部の内側面に、長手方向における前記継手制振部の長さと同一の長さを有するように形成された円筒状の継手固定部と
を有する消音器と、
前記キャップ受け部の外径と同一の内径を有するように断面が凹型形状に形成され、非開口側端部にキャップ用孔が形成されたキャップと、
前記キャップ用孔に接続するようにして前記キャップに取り付けられ、Ｙ字状に分岐するように形成されたチューブと、
Ｙ字状に分岐するように形成された前記チューブの３つの端部のうち、２つの非キャップ接続側端部にそれぞれ接続され、外部から供給される音を入力するための耳管用孔がそれぞれ形成されたＬ字状の第１及び第２の耳管と、
発声者の耳の孔に挿入するため、前記第１及び第２の耳管の先端にそれぞれ取り付けられた第１及び第２のイヤーピースと、
断面が凹型形状にそれぞれ形成され、側部に形成された貫通孔を通じて内部に挿入された前記第１及び第２の耳管を非開口側端部に接触させつつ、前記第１及び第２の耳管の先端に取り付けられた前記第１及び第２のイヤーピースを開口部から突出させるようにしてそれぞれ収納し、外部から供給される音を入力するための複数の耳管収納部用孔が全面にそれぞれ形成された第１及び第２の耳管収納部と、
前記第１及び第２の耳管収納部の開口側端部にそれぞれ取り付けられ、中央部分が開口したドーナツ状の第１及び第２のイヤーパッドと、
前記第１及び第２の耳管収納部の非開口側端部の外側中央部分にそれぞれ取り付けられた第１及び第２の支持部と、
前記第１及び第２の支持部に接続され、頭部の形状に対応するように形成されたヘッドバンドと
を有するヘッドホンと
を備える。
【考案の効果】
【０００５】
本考案の発声消音装置によれば、簡易な構成で、発声者から発せられた音声を確実に消音しながら、当該発声者のみが自己の音声を聴取することができる。
【図面の簡単な説明】
【０００６】
【図１】本考案の実施の形態による発声消音装置のうち、消音器の構成を示す斜視図及び縦断面図である。
【図２】本考案の実施の形態による発声消音装置のうち、ヘッドホンの構成を示す斜視図及び縦断面図である。
【図３】本考案の実施の形態による発声消音装置の使用状態を示す斜視図である。
【考案を実施するための形態】
【０００７】
図１に、本考案の実施の形態による発声消音装置のうち、消音器１０の構成を示し、図２に、本考案の実施の形態による発声消音装置のうち、ヘッドホン１００の構成を示し、図３に、これら消音器１０及びヘッドホン１００からなる発声消音装置２００を使用する場合の使用状態図を示す。
【０００８】
このうち、図１（ａ）は、消音器１０の斜視図を示し、図１（ｂ）は、図１（ａ）中のＡ−Ａ’線に沿って切断した場合の縦断面図を示す。図２（ａ）は、ヘッドホン１００の斜視図を示し、図２（ｂ）は、図２（ａ）中のＡ−Ａ’線に沿って切断した場合の縦断面図を示し、図２（ｃ）は、図２（ａ）中のＢ−Ｂ’線に沿って切断した場合の縦断面図を示す。
【０００９】
本実施の形態の発声消音装置２００は、消音器１０とヘッドホン１００とを有し、風船３００が取り付けられた消音器１０にヘッドホン１００を接続することにより使用される。
【００１０】
消音器１０は、円柱状に形成された消音器本体１０Ａと、当該消音器本体１０Ａから突出するように形成され、風船３００を取り付けるための継手１０Ｂとから構成される。
【００１１】
具体的には、消音器１０は、その内部に、円柱状に形成されたフィルタ２０を有する。このフィルタ２０は、例えばスポンジなどの多孔性材料からなり、発声者から発せられた音声を消音する。
【００１２】
また、消音器１０は、フィルタ２０を収納し固定するためのフィルタ収納部３０を有する。このフィルタ収納部３０は、断面が凸型形状になるように形成され、フィルタ２０の外径と同一の内径を有し、かつ長手方向における内側面の長さがフィルタ２０と同一の長さを有する収納部本体３０Ａと、収納部本体３０Ａから長手方向に突出するように形成され、収納部本体３０Ａより短い内径を有する突出部３０Ｂとを有する。フィルタ２０は、フィルタ収納部３０のうち、収納部本体３０Ａに収納される。
【００１３】
突出部３０Ｂの先端部分には、当該突出部３０Ｂのうち先端部分を除く部分より厚さが厚い張出部３０Ｃが、外側に向けて張り出すように形成され、風船１００を取り付けた際に当該風船１００を固定する。
【００１４】
収納部本体３０Ａの側面には、収納部本体３０Ａの長手方向と直交する方向に突出するようにして、円筒状のキャップ受け部３０Ｄが形成され、当該キャップ受け部３０Ｄには、ヘッドホン１００のキャップ１１０が嵌合される。
【００１５】
ところで、フィルタ収納部３０は、発声消音器１０を使用する場合に、発声者側に位置する発声者側開口部４０と、風船側に位置する風船側開口部５０とを有する。これにより、フィルタ２０のうち、発声者側端部のほぼ全面が露出すると共に、風船側端部の少なくとも中央部分が露出するようになされている。
【００１６】
なお、フィルタ収納部３０は、例えばプラスチックなどの合成樹脂材料、金属材料、ガラス材料、木材などの硬質素材から形成されている。
【００１７】
フィルタ収納部３０のうち、収納部本体３０Ａの表面には、キャップ受け部３０Ｄの内側部分を除く収納部本体３０Ａを覆うようにして、本体制振部６０が形成されている。この本体制振部６０は、例えば、ウレタンなどからなり、フィルタ２０及びフィルタ収納部３０の振動を抑制する。
【００１８】
さらに、本体制振部６０の表面には、キャップ受け部３０Ｄの内側部分を除く本体制振部６０の全面を覆うようにして、本体保持部７０が形成されている。この本体保持部７０は、例えばゴムなど弾性部材からなり、発声者が発声消音器１０に触れ易い素材が選択されている。
【００１９】
これにより、収納部本体３０Ａの表面のうち、キャップ受け部３０Ｄの内側部分は、露出している。
【００２０】
一方、フィルタ収納部３０のうち、突出部３０Ｂの内側面には、円筒状の継手制振部８０が形成され、この継手制振部８０は、長手方向における長さが突出部３０Ｂの内側面の長さと同一の長さを有するように形成されている。なお、継手制振部８０は、例えば、ウレタンなどからなり、フィルタ２０及びフィルタ収納部３０の振動を抑制する
【００２１】
さらに、継手制振部８０の内側面には、円筒状の継手固定部９０が形成され、この継手固定部９０は、長手方向における継手制振部８０の長さと同一の長さを有するように形成されている。なお、継手固定部９０は、例えばプラスチックなどの合成樹脂材料、金属材料、ガラス材料、木材などの硬質素材から形成されている。
【００２２】
発声者がこの消音器１０を使用する際には、風船３００を継手１０Ｂの張出部３０Ｃに取り付けた後、発声者の口を消音器本体１０Ａの発声者側開口部４０に押し当てた状態で、発声者が発声を行う。
【００２３】
この場合、発声者から発せられた音声に応じた振動音が、フィルタ収納部３０の収納部本体３０Ａのうち、キャップ受け部３０Ｄの内側部分（すなわち露出している部分）から発生する。
【００２４】
ところで、ヘッドホン１００は、消音器１０のキャップ受け部３０Ｄの外径と同一の内径を有し、断面が凹型形状に形成された円筒状のキャップ１１０を有する。このキャップ１１０は、例えばゴムなど弾性部材からなり、発声者が触れ易い素材が選択されている。
【００２５】
本実施の形態の場合、ヘッドホン１００のキャップ１１０と、消音器１０のキャップ受け部３０Ｄとを嵌合することにより、フィルタ収納部３０の収納部本体３０Ａのうち、キャップ受け部３０Ｄの内側部分（すなわち露出している部分）から発生する振動音を、キャップ１１０によって集音する。
【００２６】
キャップ１１０の非開口側端部の中央部分には、キャップ１１０によって集音された振動音を出力するためのキャップ用孔１１０Ｈが形成され、当該キャップ用孔１１０Ｈには、当該振動音を伝搬させるためのチューブ１２０が接続されている。
【００２７】
チューブ１２０は、振動音を発声者の左右の耳に伝搬させるため、Ｙ字状に分岐するように形成され、例えばシリコンなどの柔軟な素材から形成されている。
【００２８】
Ｙ字状に分岐するように形成されたチューブ１２０の３つの端部のうち、２つの非キャップ接続側端部には、Ｌ字状の耳管１３０がそれぞれ接続されている。この耳管１３０は、例えばプラスチックなどの合成樹脂材料から形成されている。なお、第１及び第２の耳管は、左右の耳用の耳管１３０に対応する。
【００２９】
耳管１３０の先端には、発声者の耳の孔に挿入するためのイヤーピース１４０が取り付けられ、当該イヤーピース１４０は、例えばシリコンなどの柔軟な素材から形成されている。なお、第１及び第２のイヤーピースは、左右の耳用のイヤーピース１４０に対応する。
【００３０】
このように、発声者から発せられた音声に応じてフィルタ収納部３０から発生される振動音が、キャップ１１０、チューブ１２０及び耳管１３０を順次介して伝搬されることにより、発声者は、イヤーピース１４０を耳の孔に挿入すれば、振動音として伝搬された自己の音声を聴取することができる。
【００３１】
また、Ｌ字状の耳管１３０の角部付近には、外部から供給される音を入力するための耳管用孔１３０Ｈが形成され、例えば図示しないスピーカから出力された出力音が、耳管用孔１３０Ｈを介して耳管１３０に入力される。
【００３２】
これにより、発声者は、イヤーピース１４０を耳の孔に挿入すると、スピーカから出力された出力音を聴取しながら、振動音として伝搬された自己の音声を聴取することができる。
【００３３】
ところで、ヘッドホン１００は、断面が凹型形状に形成され、耳管１３０を収納する円筒状の耳管収納部１５０を有する。耳管１３０は、耳管収納部１５０の側部に形成された貫通孔１５０ＴＨを通じて、耳管収納部１５０内部に挿入及び収納される。
【００３４】
耳管収納部１５０は、耳管１３０を当該耳管収納部１５０の非開口側端部に接触させながら、耳管１３０の先端に取り付けられたイヤーピース１４０を開口部１６０から突出させるようにして配置及び収納している。
【００３５】
また、耳管収納部１５０には、外部から供給される音を入力するための複数の耳管収納部用孔１５０Ｈが当該耳管収納部１５０の全面にわたって一様に形成され、例えば図示しないスピーカから出力された出力音が、複数の耳管収納部用孔１５０Ｈを介して耳管収納部１５０の内部に入力される。この耳管収納部１５０は、耳管１３０と同様に、例えばプラスチックなどの合成樹脂材料から形成されている。なお、第１及び第２の耳管収納部は、左右の耳用の耳管収納部１５０に対応する。
【００３６】
このようにして、スピーカから出力された出力音が、複数の耳管収納部用孔１５０Ｈを介して耳管収納部１５０の内部に入力されると、共振効果が生じることにより、耳管収納部１５０及び当該耳管収納部１５０に接触する耳管１３０が振動し、その振動音が耳管１３０を通じて発声者の耳に伝搬される。
【００３７】
これにより、発声者は、耳管用孔１３０Ｈを介して耳管１３０に入力され伝搬してきた振動音だけでなく、耳管１３０自体の振動によって生じる振動音によっても、スピーカから出力された出力音を聴取することができる。
【００３８】
耳管収納部１５０の開口側端部には、中央部分が開口したドーナツ状のイヤーパッド１７０が取り付けられ、このイヤーパッド１７０は、ヘッドホン１００を発声者の頭部に装着した際、耳に接触して覆う機能を果たす。このイヤーパッド１７０は、例えばスポンジなどの多孔性材料を合皮のカバーで覆うことにより形成される。なお、第１及び第２のイヤーパッドは、左右の耳用のイヤーパッド１７０に対応する。
【００３９】
また、耳管収納部１５０の非開口側端部の外側中央部分には、内部が空洞になるように形成された半球状の支持部１８０が取り付けられ、当該支持部１８０には、頭部の形状に対応するように形成されたヘッドバンド１９０が接続されている。なお、第１及び第２の支持部は、左右の耳用の支持部１８０に対応する。
【００４０】
因みに、図示しないスピーカとしては、例えば、市販のヘッドホンセットのように支持部１８０の内部に収納される小型のスピーカや、発声者が位置する部屋に配置されたオーディオセットのスピーカなどが使用される。
【００４１】
発声者がこの発声消音装置２００を使用する際には、風船３００を消音器１０の継手１０Ｂの張出部３０Ｃに取り付けた上で、消音器１０のキャップ受け部３０Ｄとヘッドホン１００のキャップ１１０とを嵌合した後、発声者の口を消音器本体１０Ａの発声者側開口部４０に押し当てた状態で、発声者が発声を行う。
【００４２】
このように本実施の形態によれば、簡易な構成で、発声者から発せられた音声を確実に消音した上で、外部から供給される外部音を聴取しながら、発声者のみが自己の音声を聴取することができる。
【００４３】
なお、上述の実施の形態は一例であって、本発明を限定するものではない。
【符号の説明】
【００４４】
１０  消音器
１０Ａ  消音器本体
１０Ｂ  継手
２０  フィルタ
３０  フィルタ収納部
３０Ａ  収納部本体
３０Ｂ  突出部
３０Ｃ  張出部
３０Ｄ  キャップ受け部
４０  発声者側開口部
５０  風船側開口部
６０  本体制振部
７０  本体保持部
８０  継手制振部
９０  継手固定部
１００  ヘッドホン
１１０  キャップ
１２０  チューブ
１３０  耳管
１４０  イヤーピース
１５０  耳管収納部
１７０  イヤーパッド
１８０  支持部
１９０  ヘッドバンド
２００  発声消音装置
３００  風船
【図１】
0003197064.tif 000003
【図２】
0003197064.tif 000004
【図３】
0003197064.tif 000005